(57)【要約】      （修正有）【課題】振動でずれたり風でめくれ上がったりせず、取り外しも容易なプラスチック製のカバーを提供する。【解決手段】上方が開口された収納ケース１１に使用され、収納ケース１１内の底面１１ａ上に設置される収納トレイ１２を覆うためのプラスチック製のカバー１である。底板２と、底板２上に上方に向かって突出形成された把持部６と、底板２の各辺から上方に立ち上がるとともに周方向に連結された側板３と、側板３の上端から外方に張り出した張り出し部４とを備える。収納トレイ１２を覆うためにカバー１を収納ケース１１内に設置する際に対抗する位置に互いに外向きとなるように配置される一対の張り出し部４の先端は収納ケース１１の側面に干渉して内方に移動するとともに、張り出し部４の移動に連動して側板３が内方に撓んで付勢される。【選択図】図１
0003186745.tif 000002
【実用新案登録請求の範囲】
【請求項１】
少なくとも方形の底面と、同底面の四方の各辺から上方に立ち上がる底面に対して垂直な４つの側面とによって包囲される上方が開口された収納空間を備えた収納ケースに使用され、前記収納ケース内の前記底面上に設置される部品収納用の収納トレイを覆うためのプラスチック製のカバーであって、
隣り合う位置にある同士が直交する関係となる４つの辺を四方に配した底板と、同底板上に上方に向かって突出形成された把手部と、前記底板の前記各辺から上方に立ち上がるとともに周方向に連結された４枚の側板と、同側板の上端から外方に張り出した張り出し部とを備え、
前記収納トレイを覆うために前記収納ケース内に設置する際に対抗する位置に互いに外向きとなるように配置される一対の前記張り出し部の先端は前記収納ケースの前記側面に干渉して内方に移動するとともに、前記張り出し部の移動に連動して前記側板が内方に撓んで付勢されることを特徴とするプラスチック製のカバー。
【請求項２】
前記底板において対抗位置に配置される２つの前記辺の間隔（以下第１の底板間隔とする）とこれと直交する関係にある対抗位置に配置される２つの前記辺の間隔（以下第２の底板間隔とする）は前記収納ケースにおいて前記第１の底板間隔側が配置されることとなる前記収納ケースの２つの側面の間隔及び前記第２の底板間隔側が配置されることとなる２つの側面の間隔よりもいずれも狭く形成されていることを特徴とする請求項１に記載のプラスチック製のカバー。
【請求項３】
前記底板及び側板の少なくとも一方には強度を向上させるための凹凸面を形成するようにしたことを特徴とする請求項１又は２に記載のプラスチック製のカバー。
【考案の詳細な説明】
【技術分野】
【０００１】
本考案は、収納ケース内の前記底面上に設置される運搬対象となる品物の収納用の収納トレイを覆うために使用されるプラスチック製のカバーに関するものである。
【背景技術】
【０００２】
従来から上方が開口された収納ケース内に仕切り付きの収納トレイを置き、この収納トレイ内に運搬対象となる品物を収納し運搬することが行われている。ここで運搬対象となる物品とは工業製品、農業製品を問わずまた部品でも完成品でも構わない概念である。収納ケースは上方が開口されているため、ほこりや雨水がかからないように収納トレイ上にボール紙をカバーとして置くことが多い。
【考案の概要】
【考案が解決しようとする課題】
【０００３】
しかし、ボール紙製のカバーを収納ケースの内周形状とピッタリ同じ形状とすると、ボール紙には把手がないてめ収納トレイを取り出す際にボール紙が取り出しにくくなる。そのため、ボール紙製のカバーは取り出しやすさと考慮して収納ケースの内周形状よりも小さめに形成されている。そのため、運搬途中にそのカバーが振動でずれたり、風でめくれて飛んでしまったりすることがあった。そのため、振動でずれたり、風でめくれ上がったりせず、取り外しも容易なカバーが求められていた。
【課題を解決するための手段】
【０００４】
上記の目的を達成するための第１の手段として、少なくとも方形の底面と、同底面の四方の各辺から上方に立ち上がる底面に対して垂直な４つの側面とによって包囲される上方が開口された収納空間を備えた収納ケースに使用され、前記収納ケース内の前記底面上に設置される部品収納用の収納トレイを覆うためのプラスチック製のカバーであって、隣り合う位置にある同士が直交する関係となる４つの辺を四方に配した底板と、同底板上に上方に向かって突出形成された把手部と、前記底板の前記各辺から上方に立ち上がるとともに周方向に連結された４枚の側板と、同側板の上端から外方に張り出した張り出し部とを備え、前記収納トレイを覆うために前記収納ケース内に設置する際に対抗する位置に互いに外向きとなるように配置される一対の前記張り出し部の先端は前記収納ケースの前記側面に干渉して内方に移動するとともに、前記張り出し部の移動に連動して前記側板が内方に撓んで付勢されることをその要旨とする。
【０００５】
また、第２の手段として、第１の手段に加え、前記底板において対抗位置に配置される２つの前記辺の間隔（以下第１の底板間隔とする）とこれと直交する関係にある対抗位置に配置される２つの前記辺の間隔（以下第２の底板間隔とする）は前記収納ケースにおいて前記第１の底板間隔側が配置されることとなる前記収納ケースの２つの側面の間隔及び前記第２の底板間隔側が配置されることとなる２つの側面の間隔よりもいずれも狭く形成されていることをその要旨とする。
【０００６】
また、請求項３の手段として、第１又は第２の手段に加え、前記底板及び側板の少なくとも一方には強度を向上させるための凹凸面を形成するようにしたことをその要旨とする。
【考案の効果】
【０００７】
本考案によれば、運搬時の振動でずれたり、風でめくれ上がったりすることなく取り外しも容易なカバーを提供することができる。
【図面の簡単な説明】
【０００８】
【図１】本考案の一例である実施の形態のカバー、収納トレイ及び収納ケースの分解斜視図。
【図２】同じ実施の形態のカバーの平面図。
【図３】同じ実施の形態のカバーを実際以上の厚みで表現したＡ−Ａ位置での断面図。
【図４】（ａ）及び（ｂ）は同じ実施の形態のカバーの収納ケースに配置した際のカバーの変位を説明する説明図。
【考案を実施するための形態】
【０００９】
以下、本考案のプラスチック製のカバーと同カバーとセットで使用される収納ケースの実施の形態について図面に基づいて説明する。
カバー１はポリプロピレン製の真空成形法で一体成形した半透明な成形品であって、図１〜図３に示すように、隅丸に形成された長方形の底板２と、底板２の四方から上方に立ち上がるとともに隅位置において湾曲して滑らかに連結された４枚の側板３と、側板３の上端から外方に張り出した張り出し部４とを備えている。カバー１は全域において一定の厚みに（本実施の形態では０．２ｍｍ）とされている。底板２には縦横に補強用の浅い凹部５ａ、５ｂが形成されている。長手方向に相対的に深い凹部５ａが５列に形成され、これと交差するように相対的に浅い凹部５ｂが形成されている。
底板２の中央位置であって底板２の長手方向に沿って把手部としての把持部６が形成されている。把持部６は底板２の一部が上方に膨出したような中空の板状の外形とされており、その長手方向に沿って滑り防止のための加工として多数の小突条７が形成されている。図３に示すように、側板３は底板２の面方向に対する垂直方向を基準として若干外方に傾斜（本実施の形態では５度に設定）させられている。長手方向に配置される側板３には５つの、短手方向に配置される側板３には３つの内側に突起する補強用の浅い凸部８がそれぞれ形成されている。
張り出し部４は側板３の全周囲に渡って外方に向かって延出されている。張り出し部４は底板２の面方向に対して平行となるように、つまり、本実施の形態では側板３の延出方向に対して直角＋５度＝９５度の角度となるように配置されている。一例として本実施の形態のカバー１の実寸法を示せば（厚みは考慮せず）、側板３から側板３最上部までの垂直方向高さは１５（ｍｍ）、側板３の最上部位置を基準とした平面形状は３４３×２４３（ｍｍ）、張り出し部４の張り出し量２（ｍｍ）、凹部５ａの深さ５（ｍｍ）である。
【００１０】
プラスチック製（例えば、ポリカーボネート製）の収納ケース１１は上方が開口された直方体形状の外形をなしている。収納ケース１１は平面に形成された底面１１ａと、底面１１ａの四方の各辺から上方に立ち上がる底面１１ａに対して垂直な平面に形成された４つの側面１１ｂとによって包囲される上方が開口された収納空間Ｓを備えている。４つの側面１１ｂの隅位置において湾曲して滑らかに連結されている。本実施の形態では収納ケース１１内部の縦横のサイズは３４６×２４６（ｍｍ）とされている。つまり、底板２の外形よりも大きく、張り出し部４の張り出し量を考慮した大きさよりも縦横でそれぞれ１ｍｍ小さい。
【００１１】
次に、このような収納ケース１１に対するカバー１の使用方法について説明する。図１に示すように、収納ケース１１内の底面１１ａ上には例えば部品のような運搬品Ｂを収納した収納トレイ１２を設置するものとする。そして、収納トレイ１２を覆うように収納ケース１１内にカバー１を配置する。
具体的には図４（ａ）に示すようにカバー１を収納ケース１１の上部位置に配置し、把持部６を持って下降させていく。このとき、カバー１の縦横のサイズは張り出し部４の先端基準でみると収納ケース１１内部の縦横のサイズに対して縦横でそれぞれ１ｍｍ大きいため、もしカバー１が可撓性のない物質であれば張り出し部４が収納ケース１１の上縁に引っ掛かかり下降させることはできない。しかし、カバー１が可撓性があり平面形状も厚みに比べて十分大きいため、１ｍｍ程度の大きさの差はカバー１の底板２や側板３の撓みで吸収されカバー１を収納ケース１１内に十分収めることが可能となる。図４（ｂ）に示すようにカバー１が実際に収納ケース１１内に収まっていくとカバー１の張り出し部４の先端が収納ケース１１の内面に接触することになるが、このときカバー１の方が収納ケース１１の内面間隔よりも大きいためその大きさの差によって張り出し部４には押し戻される力が作用し、わずかではあるが内方に移動することとなる。そして張り出し部４の移動に連動して側板３が内方に撓まされることとなる。すると側板３は付勢力を持つこととなり、この付勢力（つまり押し戻す力）によって張り出し部４の先端は収納ケース１１に対して摩擦を生じることとなる。そのためこの摩擦力やカバー１下に残った空気の圧力によってカバー１はゆっくりと下降し（下降しない場合には上から押すようにしてもよい）、収納トレイ１２上に載置させられる。カバー１を収納ケース１１から取り出す際には把持部６をつかんで上方に持ち上げていく。
実際にはカバー１の重量やカバー１の気密性等に影響によってカバー１の下降しにくさや持ち上げにくさは変化するが、カバー１は収納ケース１１との間の摩擦力や負圧力によって下降した位置で保持されることとなる。
【００１２】
上記のように構成することで本実施の形態のカバー１を収納ケース１１に適用することで以下のような効果が奏される。
（１）従来のボール紙製のカバーと同様にほこりや雨水から運搬品Ｂを保護できるとともに、従来とは異なり振動でずれることがなく、風でめくれ上がることもない。また、把持部６を有しているためカバー１を持ち上げることも容易である。
（２）軽く丈夫で雨に濡れても従来のボール紙製のカバー劣化することがなく、半透明であるため運搬品Ｂをカバー１上から確認することができる。
【００１３】
尚、この考案は、次のように変更して具体化することも可能である。
・カバー１の材料としてポリプロピレン以外のプラスチックを使用してもよい。成形方法も上記に限定されるものではない。
・上記カバー１の形状は一例であって他の形状で実施するようにしてもよい。
・上記カバー１では側板３は垂直方向に対して若干外方に傾斜していたが、これは垂直であってもよい。
・収納ケース１１の形状も一例であって他の形状で実施するようにしてもよい。
・収納ケース１１内部の縦横のサイズに対してカバー１の張り出し部４を基準に縦横でそれぞれ１ｍｍ大きくしたが、カバー１の大きさや厚みを考慮して収納ケース１１内部の縦横のサイズに対する大きさは適宜変更することが可能である。
その他、本考案の趣旨を逸脱しない態様で実施することは自由である。
【符号の説明】
【００１４】
１…カバー、２…底板、３…側板、４…張り出し部、６…把手部としての把持部、１１…収納ケース、１２…収納トレイ。
【図１】
0003186745.tif 000003
【図２】
0003186745.tif 000004
【図３】
0003186745.tif 000005
【図４】
0003186745.tif 000006